(57)【要約】【課題】空気調和システムにおいて、室内温度センサ異常発生時の応急運転における使用者の不快感を低減させる。【解決手段】室内温度センサ異常検知手段８が室内温度センサ６の異常を検知した時に、室内採用温度決定手段９が室内採用温度を室外温度検出手段５が検出した室外温度に応じて可変するものである。これによって、ユーザーの温度設定要求に合わせて応急運転することができ、応急運転におけるユーザーの不快感を低減させることができる。【選択図】図１
2011158171.tif 000002
【特許請求の範囲】
【請求項１】
室内温度センサと室内温度検出手段と室内温度センサ異常検知手段と室内採用温度決定手段と制御部と通信手段とを備えた空気調和機と、室外温度センサと室外温度検出手段を備えた室外機を具備した空気調和システムであって、前記室内温度センサ異常検知手段が前記室内温度センサの異常を検知した時に、前記室内採用温度決定手段が室内採用温度を前記室外温度検出手段が検出した室外温度に応じて可変することを特徴とする空気調和機。
【請求項２】
異常表示判定手段と異常表示部を設け、空気調和機の異常検出時に、前記異常表示判定手段が応急運転中の場合のみ異常を前記異常表示部に表示することを特徴とする、請求項１に記載の空気調和システム。
【発明の詳細な説明】
【技術分野】
【０００１】
本発明は空気調和システムの運転制御に関するものである。
【背景技術】
【０００２】
従来、この種の空気調和システムでは、例えば図３に記載された空気調和システムがあった（例えば、特許文献１参照）。
【０００３】
図３において、室内温度センサ１０４と、室内温度検出手段１０５と、室内温度センサ異常検知手段１０６と、室内温度置換手段１０７と、通信手段１０８を備えた空気調和機１０２と、リモコン１０３を具備した空気調和システム１０１であって、室内温度センサ異常検知手段１０６が室内温度センサ１０４の異常を検知すると、室内温度置換手段１０７が室内温度を所定温度に置き換えていた。
【先行技術文献】
【特許文献】
【０００４】
【特許文献１】特開平５−１８７６８３号公報
【発明の概要】
【発明が解決しようとする課題】
【０００５】
しかしながら、前記従来の構成では、室内温度センサ異常発生時に応急運転を開始すると、室内温度の調節が全くできない状態での運転を行うこととなっていた。このため、冷房運転中であればユーザーが不快に感じるまでに室内温度が下がることがあった。
【０００６】
本発明は、前記従来の課題を解決するもので、室内温度センサ異常発生時の応急運転におけるユーザーの不快感を低減させた空気調和システムを提供することを目的とする。
【課題を解決するための手段】
【０００７】
前記従来の課題を解決するために、本発明の空気調和システムは、室内温度センサと室内温度検出手段と室内温度センサ異常検知手段と室内採用温度決定手段と制御部と通信手段とを備えた空気調和機と、室外温度センサと室外温度検出手段を備えた室外機を具備した空気調和システムであって、室内温度センサ異常検知手段が室内温度センサの異常を検知した時に、室内採用温度決定手段が室内採用温度を室外温度検出手段が検出した室外温度に応じて可変するものである。
【０００８】
これによって、ユーザーの温度設定要求に合わせて応急運転することができ、応急運転におけるユーザーの不快感を低減させることができる。
【発明の効果】
【０００９】
本発明の空気調和システムは、室内温度センサ異常発生時の応急運転におけるユーザーの不快感を低減させることができる。
【図面の簡単な説明】
【００１０】
【図１】本発明の実施の形態１における空気調和システムのブロック図
【図２】本発明の実施の形態２における空気調和システムのブロック図
【図３】従来の空気調和システムのブロック図
【発明を実施するための形態】
【００１１】
第１の発明は、室内温度センサと室内温度検出手段と室内温度センサ異常検知手段と室内採用温度決定手段と制御部と通信手段とを備えた空気調和機と、室外温度センサと室外温度検出手段を備えた室外機を具備した空気調和システムであって、室内温度センサ異常検知手段が室内温度センサの異常を検知した時に、室内採用温度決定手段が室内採用温度を室外温度検出手段が検出した室外温度に応じて可変するもので、この構成をなすことにより、ユーザーの温度設定要求に合わせて応急運転することができ、応急運転におけるユーザーの不快感を低減させることができる。
【００１２】
第２の発明は、異常表示判定手段と異常表示部を設け、特に、第１の発明の空気調和機の異常検出時に、異常表示判定手段が応急運転中のみ異常を異常表示部に表示するもので、この構成をなすことにより、空気調和機の運転に支障がない異常をユーザーに知らせないことができ、空気調和機の修理サービス費用を低減することができる。
【００１３】
（実施の形態１）
図１は、本発明の第１の実施の形態における空気調和システム１のブロック図を示すものである。
【００１４】
図１において、空気調和機１は、室内温度センサ６と室内温度検出手段７と室内温度センサ異常検知手段８と室内採用温度決定手段９と制御部１０と通信手段１１とを備えた空気調和機２と、室外温度センサ４と室外温度検出手段５を備えた室外機３とから構成される。以上のように構成された空気調和システムにおいて、以下その動作、作用を説明する。
【００１５】
室外温度センサ４は、室外温度に応じた抵抗値（一例として１５ｋΩ）に応じた電圧（一例として２．４Ｖ）を出力する。
【００１６】
室外温度検出手段５は、室外温度センサ４から出力される電圧値から室外温度を（一例として３０℃）検出する。
【００１７】
室内温度センサ６は、室内温度に応じた抵抗値（一例として１５ｋΩ）に応じた電圧値（一例として２．４Ｖ）を出力する。
【００１８】
室内温度検出手段７は、室内温度センサ６から出力される電圧値から室内温度を（一例として２５℃）検出する。
【００１９】
室内温度センサ異常検知手段８は、室内温度検出手段７で検出した室内温度が異常値（センサーオープン、センサーショート等）であるか否か検知する。
【００２０】
室内採用温度決定手段９は、空気調和機の運転制御で採用する室内温度を決定する。
【００２１】
制御部１０は、室内採用温度決定手段９で決定した室内温度と温度設定（例えば、冷房運転時２８℃）により、空気調和機２を運転制御する。
【００２２】
通信手段１１は、室外機３と各種制御信号（運転ＯＮ、運転ＯＦＦ等）を送受信する。
【００２３】
以上のように構成された空気調和システム１は、室内温度センサ異常検知手段８が室内温度センサ６の異常を検知した時に、室内採用温度決定手段９が室内採用温度を室外温度検出手段５が検出した室外温度に応じて可変（例えば、室外温度３０℃以上で冷房時設定温度を１℃下げる、室外温度１０℃以下で暖房時設定温度を１℃上げる）するものである。
【００２４】
したがって、ユーザーの温度設定要求に合わせて応急運転することができ、応急運転におけるユーザーの不快感を低減させることができる。
【００２５】
（実施の形態２）
図２は、本発明の実施の形態２における空気調和システム１のブロック図を示すものである。図２において、実施の形態１で説明した部分については同じ符号を用い説明を省略する。
【００２６】
異常表示判定手段１２は、室内温度センサ異常検知手段８が室内温度センサ６の異常を検知した時に、異常表示をするか否か判定する。
【００２７】
異常表示部１３は、空気調和機２の異常を表示（ＬＥＤ点滅、異常記号Ｈ２０表示等）する。
【００２８】
以上のように構成された空気調和システム１は、空気調和機２の異常時に、異常表示判定手段１２が応急運転中のみ異常を異常表示部１３に表示するものである。
【００２９】
したがって、空気調和システムの運転に支障がない異常をユーザーに知らせないことができ、空気調和システムの修理サービス費用を低減することができる。また、応急運転中は異常表示を行わないため、ユーザーの不安感を低減することができる。
【産業上の利用可能性】
【００３０】
以上のように、本発明の空気調和システムは、室内温度センサ異常発生時の応急運転における使用者の不快感を低減させることが可能となるので、空気調和システムの運転制御に必要な物理量を検出する各種センサの機能異常発生時の応急運転等の用途にも適用できる。
【符号の説明】
【００３１】
１  空気調和システム
２  空気調和機
３  室外機
４  室外温度センサ
５  室外温度検出手段
６  室内温度センサ
７  室内温度検出手段
８  室内温度センサ異常検知手段
９  室内採用温度決定手段
１０  制御部
１１  通信手段
１２  異常表示判定手段
１３  異常表示部
【図１】
2011158171.tif 000003
【図２】
2011158171.tif 000004
【図３】
2011158171.tif 000005